【事件の表示】
　特願２００４−３７４８６６「チャージポンプ方式ＤＣ／ＤＣコンバータ」拒絶査定不服審判事件〔平成１８年　７月１３日出願公開、特開２００６−１８７０５６〕について、次のとおり審決する。
【結　論】
　本件審判の請求は、成り立たない。
【理　由】
１．手続の経緯
　本願は、平成１６年１２月２４日の特許出願であって、平成１９年９月２６日付けで拒絶査定がなされ、同年１１月１日に拒絶査定不服審判の請求がなされると共に、平成２１年５月８日付けで当審の拒絶理由が通知され、同年７月１３日に手続補正がなされたものである。
　　
２．本願発明
　本願の請求項１に係る発明（以下、「本願発明」という。）は、平成２１年７月１３日付け手続補正書により補正された特許請求の範囲、明細書及び図面によれば、特許請求の範囲の請求項１に記載された事項により特定される以下のとおりのものと認められる。
「出力コンデンサをチャージポンプにて充電して出力電圧として出力するチャージポンプ方式ＤＣ/ＤＣコンバータにおいて、
　時間とともに増加し、チャージポンプ動作の初期動作が終わるときにはＤＣ/ＤＣコンバータの目的とする出力電圧値に等しくなる所定の電圧を設定電圧と称するとき、
　チャージポンプ動作の初期動作において、上記出力電圧が上記設定電圧より小さければ、上記出力コンデンサの充電を許可し、上記出力電圧が上記設定電圧より大きければ、上記出力コンデンサの充電を禁止する充電制御回路と、
　上記設定電圧の基となる電圧であってその増加具合を調整可能な基準電圧を作る基準電圧可変生成回路とを備え、
　上記基準電圧可変生成回路は、容量と抵抗とを備え、
　上記抵抗は、可変抵抗であり、
　上記容量の一端は、上記可変抵抗に接続され、上記容量の他端は、接地されており、
　上記容量の両端を短絡出来るスイッチをさらに備えることを特徴とするチャージポンプ方式ＤＣ／ＤＣコンバータ。」
　
３．引用例
　当審の拒絶理由に引用した特開平１０−２８３１４８号公報（以下、「引用例１」という。）、同じく引用した特開２００３−３３９１５６号公報（以下、「引用例２」という。）、同じく引用した特開２００１−１２８４４５号公報（以下、「引用例３」という。）には、それぞれ図面と共に以下の事項が記載されている。
　
（１）引用例１　
・「【０００２】
【従来の技術】従来より、電源回路を制御するための電源制御装置がある。図３は従来例に係る電源制御装置の構成例を示すブロック図である。電源制御装置は、電源回路３１と、アナログコンパレータ３２と、ＤＦＦ（Ｄフリップフロップ）３３と、デジタルＰＷＭ生成回路３４と、Ｄ／Ａ変換装置３５と、ＣＰＵ３６とを備える構成となっている。
【０００３】電源回路３１を制御するフィードバック信号の信号線は、アナログコンパレータ３２の＋入力端子に接続されており、アナログコンパレータ３２の―入力端子には、―端子が接地された比較基準電圧Ｖｒｅｆの出力端子３７が接続されている。アナログコンパレータ３２の出力端子は、ＤＦＦ３３のデータ入力端子Ｄに接続されており、ＤＦＦ３３のＱ出力端子からの出力は、デジタルＰＷＭ生成回路３４を介して電源回路３１にフィードバックされている。また、ＣＰＵ３６の出力は、Ｄ／Ａ変換装置３５に接続されており、Ｄ／Ａ変換装置３５の出力は、出力端子３７に接続されている。
【０００４】上記の比較基準電圧Ｖｒｅｆは、ＣＰＵ３６からの制御信号に基づいてＤ／Ａ変換装置３５で作成される。該比較基準電圧Ｖｒｅｆは、所定のステップ（電源リセットからの時間に対し比較基準電圧を出力する）を実行すると、目標とする電圧に制御できるように決定される。」
　
・図４及び図５には、電源回路３１の出力電圧を制御するソフトアップテーブルによる電圧変化がソフトスタート開始時において０Ｖから開始し、ソフトスタートにおいてソフトスタート完了時まで時間とともに増加し、ソフトスタート完了時から出力電圧を目標電圧に制御する点が示されており、図３には、比較基準電圧Ｖｒｅｆに対する上記出力電圧の大小の比較結果に基づき制御するデジタルＰＷＭ生成回路が示されている。
　
　これらの記載事項及び図示内容を総合すると、引用例には、次の発明（以下、「引用発明」という。）が記載されているものと認められる。
　
「電源回路３１の出力電圧を制御する電源制御装置において、
ソフトスタート完了まで時間とともに増加し、ソフトスタート完了時には電源回路の目的とする目標電圧に等しくなる所定の電圧を比較基準電圧Ｖｒｅｆとし、
ソフトスタートにおいて、比較基準電圧Ｖｒｅｆに対する出力電圧の大小の比較結果に基づき前記電源回路３１を制御するデジタルＰＷＭ生成回路３４と、
上記比較基準電圧Ｖｒｅｆの基となる出力を作るＣＰＵ３６とを備え、
電源回路３１の出力電圧を制御するソフトアップテーブルによる電圧変化がソフトスタート開始時において０Ｖから開始する、電源制御装置。」　
　
（２）引用例２
・「【０００５】チャージポンプ回路５４では、外部電源電圧ＶｄｄからダイオードＤ５１を通して供給される電荷が、クロック信号ＯＳＣに同期してコンデンサＣ５１、Ｃ５２、Ｃ５３と順次、後段側に移送される。この電荷の移送に伴い各コンデンサの充電電圧は、後段コンデンサにいく程高くなっていき、出力ノードＮｐｐには、外部電源電圧Ｖｄｄより高い昇圧電圧Ｖｐｐが供給される。
　
・「【００１３】本発明は、かかるトレードオフの関係にある問題を解消するために案出されたもので、電圧立ち上がり時のオーバーシュートを抑え、且つ大きな昇圧駆動力を有するチャージポンプ回路を使用することができる昇圧回路を提供することを目的とする。」
　
・「００３３】次に、以上のように構成された本昇圧回路の全体の動作について説明する。昇圧を開始する場合は、まず分周回路５及びカウンタ回路６を一旦リセットした後、昇圧開始信号ＳＴＡをＨｉｇｈ　レベルにする。クロック発生回路３が動作を開始してクロックパルスＣＰを発生する。
【００３４】カウンタ回路６の計数値がＮ　になるまでの間は、デコーダ回路７の出力信号ＤＮは　Ｌｏｗ　レベルであり、カウンタ活性化信号ＣＴＥは　Ｈｉｇｈ　レベルのままである。この間、信号ＣＰ２にはクロックパルスＣＰと同じパルスが現れ、分周回路５で分周され、その出力の分周パルスＣＰ３がカウンタ回路６で計数される。
【００３５】カウンタ回路６の計数値が０　の期間中は、次のように動作する。即ち、デコーダ回路７の出力は、デコーダ出力信号Ｄ０のみが　Ｈｉｇｈ　レベルである。デコーダ出力信号Ｄ０は、レベル変換回路Ｌ０でレベル変換され、その出力信号ＶＧ０がアナログスイッチＳ０のゲートに印加される。この場合、昇圧電圧Ｖｐｐはまだゼロ電圧であるため、前述したように出力信号ＶＧ０の電圧レベルは、外部供給電圧Ｖｄｄに等しい。アナログスイッチＳ０のソースとドレインの電位は、まだゼロ電圧であるため、ゲートに電圧Ｖｄｄが印加されることによりアナログスイッチＳ０は導通する。これにより帰還抵抗器ＲＦと分圧抵抗器Ｒ０の相互接続ノードの電位は昇圧電圧Ｖｐｐに等しくなり、分圧抵抗器Ｒ０と帰還抵抗器ＲＦの直列接続回路に昇圧電圧Ｖｐｐが印加されることになる。
【００３６】この時の帰還電圧ＶＦは次のようになる。
　　　　　　　　ＶＦ＝Ｖｐｐ×ＲＦ／（ＲＦ＋Ｒ０）　　　　　　　　　　　（１）式
この帰還電圧ＶＦは、電圧比較回路２にて基準電圧Ｖｒｅｆと比較される。最初の間は、ＶＦ＜Ｖｒｅｆ　であるので昇圧活性化信号Ｓｉｇ１が出力される。これによりクロックパルスＣＰ１が出力され、チャージポンプ回路４が動作して出力ノードＮｏｕｔの昇圧電圧Ｖｐｐが上昇を始める。
【００３７】昇圧電圧Ｖｐｐが上昇するにつれ、（１）式で計算される帰還電圧ＶＦも上昇する。そして、ＶＦ＞Ｖｒｅｆ　になると昇圧活性化信号Ｓｉｇ１が出力されなくなり、チャージポンプ回路４の昇圧動作が停止する。この時の昇圧電圧Ｖｐｐは、帰還電圧ＶＦが基準電圧Ｖｒｅｆに一致する条件から次のように計算される。
　　　　　　　　　　Ｖｐｐ＝Ｖｒｅｆ×（ＲＦ＋Ｒ０）／ＲＦ　　　　　　　　　　　　（２）式
昇圧電圧Ｖｐｐの実際の波形は、帰還電圧ＶＦが基準電圧Ｖｒｅｆに一致してからチャージポンプ回路４が昇圧動作を停止するまでに応答遅れがあるため、（２）式で計算される値に対して若干オーバーシュートを生ずる。
【００３８】出力ノードＮｏｕｔにつながる負荷に電流が流れることにより昇圧電圧Ｖｐｐが低下し、ＶＦ＜Ｖｒｅｆ　となると、再びチャージポンプ回路４が動作して昇圧電圧Ｖｐｐが上昇する。このような昇圧動作と昇圧停止動作の繰り返しにより、出力ノードＮｏｕｔの昇圧電圧Ｖｐｐは、（２）式で計算される目標電圧に維持される。
【００３９】次に、分周パルスＣＰ３が出力されてカウンタ回路６の計数値が１　になった場合を説明する。デコーダ回路７の出力は、デコーダ出力信号Ｄ１のみが　Ｈｉｇｈ　レベルとなる。アナログスイッチＳ０は非導通となり、代わってアナログスイッチＳ１が導通する。帰還電圧ＶＦは次のようになる。
　　　　　　ＶＦ＝Ｖｐｐ×ＲＦ／（ＲＦ＋Ｒ０＋Ｒ１）　　　　　　　　　　　（３）式
カウンタ回路６の計数値が０　の場合と同様の昇圧動作により、出力ノードＮｏｕｔの昇圧電圧Ｖｐｐは、次式で計算される目標電圧まで昇圧され維持される。
　　　　　　Ｖｐｐ＝Ｖｒｅｆ×（ＲＦ＋Ｒ０＋Ｒ１）／ＲＦ　　　　　　　　　　（４）式
【００４０】以下、計数値が増すに従って昇圧電圧Ｖｐｐは上昇していき、計数値がＮ　となった場合には、出力ノードＮｏｕｔの昇圧電圧Ｖｐｐは、次式で計算される目標電圧に昇圧され維持される。
　　　　Ｖｐｐ＝Ｖｒｅｆ×（ＲＦ＋Ｒ０＋Ｒ１＋−−＋ＲＮ）／ＲＦ　　（５）式
この計数値がＮ　の場合には、アナログスイッチＳ０〜ＳＮ−１は、全て非導通の状態である。また計数値がＮ　になると、カウンタ活性化信号ＣＴＥが　Ｌｏｗ　レベルとなるため、カウンタ回路６の計数は停止し、計数値はＮ　のまま維持される。従って、出力ノードＮｏｕｔの昇圧電圧Ｖｐｐは、（５）式で計算される高電圧に維持される。
【００４１】このように、本昇圧回路によれば、計数値が増すに従って出力である昇圧電圧Ｖｐｐの電圧帰還比率が階段状に高くなるため、昇圧電圧Ｖｐｐの目標値も階段状に上昇していく。この昇圧過程における昇圧電圧Ｖｐｐの目標値と実際の昇圧電圧Ｖｐｐとの波形は図３のようになる。昇圧電圧Ｖｐｐの目標値は、計数値が増す毎に小さい段差で階段状に上昇し、その平均勾配は、クロック発生回路３の発振周波数と分周回路５の分周比を加減することで調整できる。」
　
　
（３）引用例３
・「０００１】
【発明の属する技術分野】本発明はスイッチング電源回路に関し、更に詳しくはソフトスタート回路を用いたスイッチング電源回路の改良に関する。」
　
・「【００４９】図６はＶＤＴ発生回路の第４の実施の形態例を示す図である。図３と同一のものは、同一の符号を付して示す。この実施の形態例は、複数の抵抗Ｒ１〜Ｒｎを取り付け、これら抵抗の内から任意の一つをスイッチＳＷにより入力電圧Ｖｉｎにより選択するようにしたものである。
【００５０】ここで、入力電圧検出回路６０は、入力電圧Ｖｉｎの状態を監視している。例えば、入力電圧Ｖｉｎが大きくなった時には、スイッチ駆動回路７１に制御信号を与え、スイッチＳＷにより値の大きな抵抗を選択させる。この結果、ＣＲ回路の充電時定数は大きくなり、ソフトスタートの有効期間Ｔ３は長くなり、Ｔａ≦Ｔ３の条件を満足することができる。一方、入力電圧Ｖｉｎが小さくなった時には、スイッチ駆動回路７１に制御信号を与え、スイッチＳＷにより値の小さな抵抗を選択させる。この結果、ＣＲ充電時定数は小さくなりＣＲ回路の時定数を小さくする。この場合には、ソフトスタートの有効期間Ｔ３は短かくなるが、Ｔａ≦Ｔ３の条件は満足される。
【００５１】この実施の形態例によれば、複数の抵抗の中から入力電圧Ｖｉｎに応じた最適抵抗を選択することで、充電時定数を決定し、傾き（ａ）を入力電圧Ｖｉｎに応じて変更することで、適切なソフトスタートを行なうことができる。
【００５２】図７はＶＤＴ発生回路の第５の実施の形態例を示す図である。図３と同一のものは、同一の符号を付して示す。この実施の形態例は、コンデンサＣと接続される抵抗の値を入力電圧Ｖｉｎに応じて可変するようにしたものである。」
　　
４．対比
　そこで、本願発明と引用発明とを対比する。
　
（ア）後者の「電源回路３１の出力電圧を制御する電源制御装置」と
前者の「出力コンデンサをチャージポンプにて充電して出力電圧として出力するチャージポンプ方式ＤＣ/ＤＣコンバータ」とは、
「出力電圧を出力する電源回路」なる概念で共通する。
　
（イ）後者の「ソフトスタート完了まで時間とともに増加」する態様が前者の「時間とともに増加」する態様に相当し、同様に、
「比較基準電圧Ｖｒｅｆとし」た態様が「設定電圧と称する」態様に、それぞれ相当することから、
後者の「ソフトスタート完了まで時間とともに増加し、ソフトスタート完了時には電源回路の目的とする目標電圧に等しくなる所定の電圧を比較基準電圧Ｖｒｅｆとし」たときと
前者の「時間とともに増加し、チャージポンプ動作の初期動作が終わるときにはＤＣ/ＤＣコンバータの目的とする出力電圧値に等しくなる所定の電圧を設定電圧と称するとき」とは、
「時間とともに増加し、初期動作が終わるときには電源回路の目的とする出力電圧値に等しくなる所定の電圧を設定電圧と称するとき」なる概念で共通する。
　
（ウ）後者の「ソフトスタートにおいて、比較基準電圧Ｖｒｅｆに対する出力電圧の大小の比較結果に基づき電源回路３１を制御するデジタルＰＷＭ生成回路３４」と
前者の「チャージポンプ動作の初期動作において、出力電圧が設定電圧より小さければ、出力コンデンサの充電を許可し、出力電圧が設定電圧より大きければ、出力コンデンサの充電を禁止する充電制御回路」とは、
「初期動作において、出力電圧が設定電圧より小さければ、設定電圧の上昇を許可し、出力電圧が設定電圧より大きければ、設定電圧の上昇を禁止する制御回路」なる概念で共通する。
　
（エ）後者の「比較基準電圧Ｖｒｅｆの基となる出力を作るＣＰＵ３６」と
前者の「設定電圧の基となる電圧であってその増加具合を調整可能な基準電圧を作る基準電圧可変生成回路」とは、
「設定電圧の基となる電圧であってその基準電圧を作る基準電圧可変生成回路」なる概念で共通する。
　
（オ）後者の「電源回路３１の出力電圧を制御するソフトアップテーブルによる電圧変化がソフトスタート開始時において０Ｖから開始する」態様と
前者の「容量の両端を短絡出来るスイッチをさらに備える」態様とは、
「初期動作開始時にリセットする手段をさらに備える」なる概念で共通する。
（カ）後者の「電源制御装置」と、前者の「チャージポンプ方式ＤＣ／ＤＣコンバータ」とは、「電源回路」なる概念で共通する。
　
　したがって、両者は、
「出力電圧を出力する電源回路において、
時間とともに増加し、初期動作が終わるときには電源回路の目的とする出力電圧値に等しくなる所定の電圧を設定電圧と称するとき、
初期動作において、上記出力電圧が上記設定電圧より小さければ、上記設定電圧の上昇を許可し、上記出力電圧が上記設定電圧より大きければ、上記設定電圧の上昇を禁止する制御回路と、
上記設定電圧の基となる電圧であってその基準電圧を作る基準電圧可変生成回路とを備え、
初期動作開始時にリセットする手段をさらに備える、電源回路。」
の点で一致し、以下の各点で相違している。
　　
［相違点１］
　「電源回路」に関し、本願発明では「出力コンデンサをチャージポンプにて充電して出力電圧として出力するチャージポンプ方式ＤＣ／ＤＣコンバータ」であるのに対し、引用発明では電源回路の種類は特定されていない点。
　　
［相違点２］
　「初期動作が終わるとき」の目的とする初期動作の対象に関し、本願発明では「チャージポンプ動作の」初期動作が終わるときの「ＤＣ／ＤＣコンバータ」の目的とする出力電圧値を対象としたのに対し、引用発明では初期動作の対象は特定されていない点。
　　
［相違点３］
　初期動作において「設定電圧の上昇」を許可及び禁止する「制御回路」に関し、本願発明では「チャージポンプ動作の」初期動作において、上記出力電圧が上記設定電圧より小さければ、「出力コンデンサの充電」を許可し、上記出力電圧が上記設定電圧より大きければ、上記「出力コンデンサの充電」を禁止する充電制御回路であるのに対し、引用発明ではかかる特定はなされていない点。
　　
［相違点４］
　「基準電圧可変生成回路」に関し、本願発明においては「容量と抵抗とを備え、上記抵抗は、可変抵抗であり、上記容量の一端は、上記可変抵抗に接続され、上記容量の他端は、接地されており」と特定されているのに対し、引用発明ではそのような構成を有していない点。
　　
［相違点５］
　初期動作開始時にリセットする手段に関し、本願発明では「容量の両端を短絡出来るスイッチ」であることを特定しているのに対し、引用発明ではそのような構成を有していない点。
　　
［相違点６］
　「電源回路」に関し、本願発明では「チャージポンプ方式ＤＣ／ＤＣコンバータ」であるのに対し、引用発明では電源回路の種類は特定されていない点。
　
５．判断
［相違点１、２及び６］について
　　例えば、引用例２にも開示されているように、電源回路として、出力コンデンサ（引用例２の図４のＣ５６が相当）をチャージポンプ（引用例２の図４の「チャージポンプ回路５４」が相当）にて充電して出力電圧として出力するチャージポンプ方式ＤＣ／ＤＣコンバータ（引用例２の「昇圧回路」が相当）を用いること、チャージポンプ動作の初期動作（引用例２の「電圧立ち上がり時」が相当）が終わるときにはＤＣ／ＤＣコンバータの目的とする出力電圧に等しくなるようにすることは、電源回路の分野における周知技術であるから、引用発明において、該周知技術を適用することにより、相違点１、２及び６に係る本願発明の構成とすることは、当業者にとって容易である。
　
［相違点３］について
　例えば、引用例２にも開示されているように、チャージポンプ動作の初期動作において、出力電圧の上昇を許可及び禁止する制御回路として、出力電圧（引用例２の「帰還電圧ＶＦ」が相当）が設定電圧（引用例２の「基準電圧Ｖｒｅｆ」が相当）より小さければ、出力コンデンサの充電を許可（引用例２の「昇圧動作」が相当）し、上記出力電圧が上記設定電圧より大きければ、上記出力コンデンサの充電を禁止（引用例２の「昇圧停止動作」が相当）する充電制御回路を用いて許可及び禁止することは、チャージポンプ方式ＤＣ／ＤＣコンバータにおける周知慣用技術であるから、引用発明において、チャージポンプ方式ＤＣ／ＤＣコンバータを採用した際に、該周知慣用技術を適用することにより、相違点３に係る本願発明の構成とすることは、当業者が容易に想到し得たものというべきである。
　
［相違点４］について
　例えば、引用例３にも開示されているように、基準電圧可変生成回路が増加具合を調整可能である(引用例３の【００５１】の「充電時定数を決定し、傾き（ａ）を入力電圧Ｖｉｎに応じて変更することで、適切なソフトスタートを行なう」が相当)と共に容量（引用例３の図７の「コンデンサＣ」が相当）と抵抗とを備え、上記抵抗は、可変抵抗（引用例３の図７の「抵抗ＲＶ」が相当）であり、上記容量の一端は、上記可変抵抗に接続されている（引用例３の図７にコンデンサＣの一端が可変抵抗ＲＶに接続されている点を参照）構成とすることは、電源回路の分野における周知の技術であるといえる。なお、容量の他端を接地することは常套手段にすぎないことからどの端子を接地するのかは設計事項といえる。
　従って、引用発明において、該周知の技術を適用する際に、上記常套手段を踏まえることにより、相違点４に係る本願発明の構成とすることは、当業者にとって容易である。
　
［相違点５］について
　ソフトスタート制御の開始に際して、ソフトスタートの開始時に０Ｖから開始する引用発明は、言い換えればリセットをしているといえるので、係るリセットを行う引用発明において、コンデンサを使用する上記相違点４で検討した周知の技術を採用すれば、初期動作開始時にリセットする手段は容量の両端を短絡出来るスイッチとなることは自明の事項である（必要があれば、特開２００３−１８９５９７号公報の【０００７】の「まず、図５の時間領域ｔ１では、図５の波形ａ、ｂに示すように、図２においてコントロール信号入力端子７とコントロール信号入力端子８にＨレベルの信号が入力されると、ＮチャンネルＭＯＳトランジスタ４３，４８が非動作状態となる。この時に、比較器１３の正入力端子１９に接続されているソフトスタート用コンデンサ４１には電流源４０からの電流が注入され、ソフトスタート用コンデンサ４１の端子電圧が徐々に増加すると同時に、比較器１４の正入力端子２０に接続されているソフトスタート用コンデンサ４６にも電流源４５からの電流が注入され、ソフトスタート用コンデンサ４６の端子電圧が徐々に増加する。」なる記載を参照）。
　したがって、引用発明において、上記「［相違点４］について」で検討した周知の技術を適用する際に、自明の事項を考慮することにより、相違点５に係る本願発明の構成とすることは、当業者にとって容易である。
　
　そして、本願発明の全体構成により奏される作用効果も引用発明、上記周知技術、上記周知慣用技術、及び、周知の技術から当業者が予測し得る範囲内のものにすぎない。
　
６．まとめ
　したがって、本願発明は、引用発明、上記周知技術、上記周知慣用技術、及び、周知の技術に基づいて、当業者が容易に発明をすることができたものと認められるから、特許法第２９条第２項の規定により特許を受けることができない。
　よって、結論のとおり審決する。